(57)【要約】【課題】光分波器の実装が容易で、且つ、その調心が簡単な構造で精度よく行える光受信モジュールとその製造方法を提供する。【解決手段】光受信モジュール１０が、波長多重化された異なる波長の複数の信号光を受光して、パッケージ部１２の筺体１４の底壁１４ａに設置された支持ポスト１６上に実装された光分波器１５により、それぞれの信号光に分波して電気信号に変換する。前記の光分波器１５は、所定の波長の光を透過し他の波長の光を反射する複数の誘電体多層膜を用いた光学薄膜フィルタで形成され、前記の支持ポスト１６の上部に光分波器を実装する断面コ字状の収納部１６ａが設けられ、光分波器１５の両側部１５ｃが、支持ポスト１６の収納部の両側壁１６ｂの内壁面で接着固定されている。【選択図】図１
2014137475.tif 000002
【特許請求の範囲】
【請求項１】
波長多重化された異なる波長の複数の信号光を受光して、パッケージ部の筺体の底壁に設置された支持ポスト上に実装された光分波器により、それぞれの信号光に分波して電気信号に変換する光受信モジュールであって、
前記光分波器は、所定の波長の光を透過し他の波長の光を反射する複数の誘電体多層膜を用いた光学薄膜フィルタで形成され、
前記支持ポストの上部に前記光分波器を実装する断面コ字状の収納部が設けられ、前記光分波器の両側部が、前記支持ポストの前記収納部の両側壁の内壁面に接着固定されていることを特徴とする光受信モジュール。
【請求項２】
前記光分波器の接着固定には、紫外線硬化型樹脂の接着剤が用いられていることを特徴とする請求項１に記載の光受信モジュール。
【請求項３】
前記支持ポストは、前記筺体の底壁に紫外線硬化型樹脂の接着剤で接着されていることを特徴とする請求項１または２に記載の光受信モジュール。
【請求項４】
前記支持ポストは、磁性体で形成されていることを特徴とする請求項１〜３のいずれか１項に記載の光受信モジュール。
【請求項５】
波長多重化された異なる波長の複数の信号光を受光して、パッケージ部の筺体の底壁に設置された支持ポスト上に実装された光分波器により、それぞれの信号光に分波して電気信号に変換する光受信モジュールの製造方法であって、
前記光分波器は、所定の波長の光を透過し他の波長の光を反射する複数の誘電体多層膜を用いた光学薄膜フィルタで形成され、前記支持ポストは磁性体で形成され、
前記支持ポストの上部に設けられた前記光分波器を実装する断面コ字状の収納部の両側壁の内壁面に接着剤を塗布すると共に、前記支持ポストの下端面に接着剤を塗布し、前記接着剤をいずれも未硬化の状態で維持し
次いで、前記筺体の底壁の外面に配した磁石により、前記支持ポストを前記筺体の底壁に接するように吸着保持させ、
この後、前記光分波器を移送アームで保持して、前記光分波器の両側部が前記支持ポストの前記収納部の両側壁の内壁面に接するように収容し、
次いで、前記光分波器のあおり角および前記支持ポストの回転角を調整して調心した後、前記収納部の内壁面に塗布した未硬化の接着剤ならびに前記支持ポストの下端面に塗布した未硬化の接着剤を硬化させて、前記光分波器ならびに前記支持ポストを接着固定することを特徴とする光受信モジュールの製造方法。
【発明の詳細な説明】
【技術分野】
【０００１】
本発明は、波長多重化された波長の異なる複数の信号光を分波する光分波器を備えた光受信モジュールとその製造方法に関する。
【背景技術】
【０００２】
近年、ネットワーク上を流れる情報量の増加と通信速度の高速化が進んでいる。これに伴い、光伝送機器に搭載される光トランシーバ等に用いられる光送受信モジュールも高速化が進み、現在では４０Ｇｂｐｓや１００Ｇｂｐｓの伝送速度が要求されている。かかる高速の伝送速度は、単一の光デバイスでは追従することが難しく、波長分割多重（ＷＤＭ）による通信方法が用いられている。
【０００３】
例えば、４０Ｇｂｐｓの高速伝送を実現するために、速度１０Ｇｂｐｓで動作する４セットの光送信サブアセンブリ（ＴＯＳＡ：Transmitter Optical Sub-Assembly）と光マルチプレクサ（ＭＵＸ）で送信部とし、速度１０Ｇｂｐｓで動作する４セットの光受信サブアセンブリ（ＲＯＳＡ：Receiver Optical Sub-Assembly）と光デマルチプレクサ（Ｄｅ−ＭＵＸ）で受信部としている。
【０００４】
上記の光通信の高速伝送の要求に答える一方で、光トランシーバの小型化への要求も強く、業界標準のＣＦＰ−ＭＳＡの外形を小さくしたＣＦＰ２、ＣＦＰ４、ＱＳＦＰ＋などの標準化が検討されている。この場合、ＴＯＳＡまたはＲＯＳＡに割り当てられる収容面積は縮小され、例えば、ＲＯＳＡは幅７ｍｍ以下のパッケージ内に、光信号の受信に必要な光部品や電子部品等を集合一体化して収容する必要がある。
【０００５】
これに対応するための光分波器には、アレイ導波路（ＡＷＧ）方式、光学薄膜方式など、いくつかの方式が考えられるが、光損失、波長の温度依存性などの点から、光学薄膜方式が望ましいとされている。例えば、特許文献１のように光受信モジュールで波長多重された信号光をそれぞれの波長の信号光に分波するのに、光学薄膜の波長フィルタからなる光分波器を用いることが開示されている。
【先行技術文献】
【特許文献】
【０００６】
【特許文献１】特開２００９−１９８９５８号公報
【発明の概要】
【発明が解決しようとする課題】
【０００７】
しかしながら、光学薄膜方式の光分波器は、光の入射角度により透過波長範囲（パスバンド）がずれ、規定の波長の光損失が大きくなるという問題がある。ＣＷＤＭでは、波長間隔２０ｎｍでパスバンド幅は±６.５ｎｍであり、ＬＡＮ−ＷＤＭでは波長間隔５ｎｍでパスバンド幅±１.０５ｎｍである。上記の問題を解決するには、光分波器の波長フィルタのパスバンドを広くするか、光分波器の実装の調心精度を上げるのかが考えられるが、前者については、波長間隔の小さいＬＡＮ−ＷＤＭでは難しく、コストアップにもなる。したがって、後者の光分波器の実装の調心精度を上げることが課題となる。
【０００８】
本発明は、上述した実状に鑑みてなされたもので、光分波器の実装が容易で、且つ、その調心が簡単な構造で精度よく行える光受信モジュールとその製造方法を提供することを目的とする。
【課題を解決するための手段】
【０００９】
本発明による光受信モジュールは、波長多重化された異なる波長の複数の信号光を受光して、パッケージ部の筺体の底壁に設置された支持ポスト上に実装された光分波器により、それぞれの信号光に分波して電気信号に変換する光受信モジュールである。前記の光分波器は、所定の波長の光を透過し他の波長の光を反射する複数の誘電体多層膜を用いた光学薄膜フィルタで形成され、前記の支持ポストの上部に光分波器を実装する断面コ字状の収納部が設けられ、光分波器の両側部が、支持ポストの収納部の両側壁の内壁面で接着固定されていることを特徴とする。
上記の光分波器の接着固定は、紫外線硬化型樹脂の接着剤が用いられ、また、上記の支持ポストは、筺体の底壁に紫外線硬化型の接着剤で接着されていることが好ましい。また、支持ポストは、磁性体で形成されていることが好ましい。
【００１０】
また、本発明による上記構成の光受信モジュールの製造方法は、支持ポストの上部に設けられた光分波器を実装する断面コ字状の収納部の両側壁の内壁面に接着剤を塗布すると共に、支持ポストの下端面に接着剤を塗布し、前記の接着剤をいずれも未硬化の状態で維持し、次いで、筺体の底壁の外面に配した磁石により、支持ポストを筺体の底壁に接するように吸着保持させる。
この後、光分波器を移送アームで保持して、光分波器の両側部が支持ポストのコ字状の収納部の両側壁の内壁面に接するように収容し、次いで、光分波器のあおり角および支持ポストの回転角を調整して調心した後、収納部の内壁面に塗布した未硬化の接着剤ならびに支持ポストの下端面に塗布した未硬化の接着剤を硬化させて、光分波器ならびに支持ポストを接着固定することを特徴とする。
【発明の効果】
【００１１】
本発明によれば、光分波器を支持ポスト上であおり角の調心を行うことができ、また、支持ポストと一体的に回動角の調心も行うことができ、精度よく設置することができる。また、光分波器の調心の後、そのまま接着剤を硬化させることにより接着固定することができ、製造も容易である。
【図面の簡単な説明】
【００１２】
【図１】本発明による光受信モジュールの概略を説明する図である。
【図２】本発明の光受信モジュールの光学系路と光分波状態を説明する図である。
【図３】本発明の光受信モジュールに用いる光分波器の一例を示す図である。
【図４】本発明の光受信モジュールに用いる光分波器の支持ポストへの実装形態を説明する図である。
【図５】本発明の光受信モジュールに用いる光分波器と支持ポストの調心と実装方法を説明する図である。
【図６】本発明の光受信モジュールにおける反射器と集光レンズと、それらの支持形態の例について説明する図である。
【発明を実施するための形態】
【００１３】
図により、本発明による光受信モジュールの実施の形態を説明する。図１（Ａ）は光受信モジュールの構造の説明を容易にするためにパッケージ部の蓋体を外し、パッケージ部の筐体の一部を破断した状態で示し、図１（Ｂ）はパッケージ部内の断面を示した図である。図１において、１０は光受信モジュール、１１はレセプタクル部、１２はパッケージ部、１３は端子部、１４はパッケージ筐体、１４ａはパッケージ底壁、１４ｂはパッケージ蓋体、１５は光分波器、１６は支持ポスト、１７は反射器、１８は集光レンズ、１９は受光素子、２０ａ，２０ｂは電子部品である。
【００１４】
光受信モジュール１０は、図１に示すように、信号光が伝送される光ファイバが接続されるレセプタクル部１１と、受光素子、光学部品、電子部品等が収容されるパッケージ部１２と、外部回路との電気接続のための端子部１３を備えている。
パッケージ部１２は、矩形状の箱型で形成され、例えば、金属製の筐体（以下、パッケージ筐体という）１４とその底壁（以下、パッケージ底壁という）１４ａとその蓋体（以下、パッケージ蓋体という）１４ｂとからなる収容部に、後述する受光素子や光学部品・電子部品を搭載して構成される。また、端子部１３は、セラミック基板等を積層して形成され、パッケージ筺体１４の後部側に嵌め込むような形態で組み付けられる。
【００１５】
パッケージ部１２内には、レセプタクル部１１から出射された波長多重化された信号光Ｓ１を複数の信号光に分波する光分波器１５が実装される。光分波器１５は、所定の波長の光を透過し他の波長の光を反射する複数の誘電体多層膜を用いた光学薄膜フィルタで形成される。光分波器１５の実装形態の詳細は後述するが、この光分波器１５は支持ポスト１６によりパッケージ底壁１４ａから離間した上方に位置するように収容される。光分波器１５により分波された複数の信号光（以下、分波信号光という）Ｓ２は、光分波器と同じ高さ位置に設置された反射器１７に入射され、それぞれパッケージ底壁側に向けて反射される。
【００１６】
反射器１７の下方側には、反射された分波信号光Ｓ２をそれぞれ集光する複数の集光レンズ１８と、集光レンズ１８で集光された分波信号光Ｓ２をそれぞれ受光する複数の受光素子１９とが配される。すなわち、光分波器１５に入射される信号光Ｓ１および光分波器１５により分波された分波信号光Ｓ２は、水平方向の光路を通り、反射器１７により下方方向に光路が変更されて受光素子１９で受光される。
この結果、パッケージ部１２内の長手方向の光路長が短縮され、この光路長の短縮により生じたスペースを利用して、受光素子１９に近接してプリアンプ回路等の電子部品２０ａが実装される。また、後述するように光分波器１５を実装する支持ポスト１６の下部に部品収容スペースを形成して、パスコンなどの電子部品２０ｂを実装することもできる。
【００１７】
上述した光受信モジュールの光学系路は、図２（Ａ）に示すように、波長多重化された異なる波長（λ１、λ２、λ３、λ４）の信号光Ｓ１が、レセプタクル部内に配されたコリメートレンズにより、平行光として光分波器１５に入射される。この波長多重化された信号光Ｓ１は、まず薄膜フィルタ１５ａの１番目に配列された多層膜に当てられて、波長λ１の信号光は透過するが、その他の波長の信号光（λ２、λ３、λ４）は反射される。この反射された信号光は、反射膜１５ｂにより反射されて薄膜フィルタ１５ａの２番目に配列された多層膜に当てられて、波長λ２の信号光は透過し、その他の波長の信号光（λ３、λ４）は反射される。以下、同様に透過と反射を繰り返して、波長多重化された信号光Ｓ１は、波長λ１、λ２、λ３、λ４の分波信号光Ｓ２にそれぞれ分波される。
【００１８】
分波信号光Ｓ２のそれぞれの波長は、ＣＷＤＭでは、波長λ１は１３３１ｎｍ、波長λ２は１３１１ｎｍ、波長λ３は１２９１ｎｍ、波長λ４は１２７１ｎｍで、それぞれ±６.５ｎｍの幅を有する設定となっている。
これらの分波信号光Ｓ２は、反射器１７により下方方向に反射され、集光レンズ１８を経て受光素子１９で受光される。なお、反射器１７および集光レンズ１８の支持構造については後述する。
【００１９】
図２（Ｂ）は、光分波器における光の分波波長と光透過損失の関係を示す図で、Ｗはパスバンド幅、Ｌは挿入損失、Ｒは隣接チャネルアイソレーションを示す。パスバンド幅Ｗは、上記の波長では１３ｎｍである。挿入損失Ｌは、誘電体多層膜を用いた光学薄膜フィルタの場合は、１.０ｄＢ以下とすることができるが、アレイ導波路（ＡＷＧ）フィルタでは３〜５ｄＢである。また、隣接チャネルアイソレーションＲは、光学薄膜フィルタでは２５ｄＢ以上とすることが可能であるが、ＡＷＧフィルタでは温度依存性があるため２０ｄＢ程度で、クロストークが生じやすいという問題がある。その他、サイズ的な面も含めると、ＡＷＧフィルタに比べて光学薄膜フィルタの方が適していると言える。
【００２０】
しかしながら、光学薄膜フィルタを使用する場合、波長多重化された信号光Ｓ１を、光分波器１５の入射領域に所定の角度αで入射させる必要がある。例えば、この入射角αが所定の角度より少ない（浅い）とそれぞれ分波信号光Ｓ２が、図２（Ｂ）の右方向（長波長側）にずれる。反対にこの入射角が所定の角度αより大きい（深い）とそれぞれ分波信号光が、左方向（短波長側）にずれる。
【００２１】
すなわち、光分波器１５で入射された信号光Ｓ１は、薄膜ファイルタ１５ａと反射膜１５ｂとの間を順次、反射と透過を繰り返しながら進むが、最初の入射角αがずれていると、信号光の反射、透過位置が少しずつずれて、所定の波長の信号光が透過すべき所定の多層膜から外れて透過されなくなる。このため、光学薄膜フィルタを用いた光分波器１５においては、光分波器の調心が重要で、精度よく且つ容易に行うことが必要となる。
【００２２】
図３は、本発明の光受信モジュールで用いる光学薄膜フィルタを用いた光分波器の例を示す図である。図３（Ａ）に示す光分波器２１は、光透過ガラスブロック２１ｃの一方の端面に、所定の波長の光を透過し他の光の波長を反射させる誘電体の多層膜がそれぞれ貼り付けられた４個の薄いフィルタガラス２１ａを列状に接合一体化し、反対側の他方の端面に反射膜を有する反射ガラス２１ｂを接合一体化した構造のものである。なお、フィルタガラス２１ａには、多層膜による歪みを抑制するための補助膜層２１ｄを付与する場合もある。
【００２３】
図３（Ｂ）に示す光分波器２２は、ベース板２２ｃ上に、所定の波長の光を透過し他の光の波長を反射させる誘電体の多層膜がそれぞれ貼り付けられた４個の厚いフィルタガラス２２ａを並べて接合してなる。また、ベース板２２ｃ上には、フィルタガラス２２ａから所定の間隔をあけて、反射膜を有する３個の反射ブロック２２ｂを並べて接合し、フィルタガラス２２ａからの光を反射させる構造のものである。
【００２４】
図３（Ｃ）は、上述した光分波器の設置で、信号光の入射角に対する調心方向を示した図で、図３（Ａ）の光分波器の例で示してある。光分波器２１は、図２で説明したように波長多重化された信号光Ｓ１が所定の入射角で入射される必要がある。光分波器の入射角に関しては、図に示すＸ軸を回動軸とするあおり角、Ｚ軸を回動軸とする回転角、Ｙ軸を回動軸とする揺動角がある。Ｘ軸に対するあおり角は、信号光の光軸の上下方向に対する傾きを示し、この角度が適正でないと信号光がガラスフィルタの多層膜の上下位置から外れて、分波することができなくなる。また、Ｚ軸に対す回転角は、光軸の横方向（水平方向）に対する傾きを示し、反射・透過する信号光の入射位置が横方向にずれて、所定のガラスフィルタの多層膜に入射されず、分波することができなくなる。
【００２５】
Ｙ軸に対する揺動角は、あおり角と回転角に比べて、大きな影響はなく、あおり角と回転角が適正に設定されていれば、実質的には調心の必要はない。
したがって、本発明においては、特に図３（Ｃ）で示すＸ軸に対するあおり角と、Ｚ軸に対する回転角に対する調心を容易にする構造と、その調心方法について特徴を有し、以下にその説明をする。
【００２６】
図４は、本発明による光分波器を実装するための支持ポストと、光分波器の調心を説明する図である。支持ポスト１６は、磁性を有する金属、合金、フェライト等で形成され、少なくとも上部にコ字状に凹ませた光分波器を実装する収納部１６ａが形成されている。収納部１６ａは、両側の側壁１６ｂによって収納幅と収納深さが規定され、収納幅は実装される光分波器１５の横幅にほぼ等しいか、若しくは、僅かに大きく形成される。好ましくは、光分波器１５の両側部１５ｃが、側壁１６ｂの内壁面で軽く摩擦保持される程度の収納幅とする。
【００２７】
支持ポスト１６の下端１６ｃは、図１で示したように、パッケージ底壁１４ａに接して載置され、後述するように接着剤により接着固定される。
また、支持ポスト１６の下部側にも、鎖線で示すようにコ字状の収納部１６ｄを形成してパッケージ底壁１４ａとの間にスペースを作り、このスペースを利用して電子部品２０ｂ等を実装させることができる。
【００２８】
光分波器１５は、その両側部１５ｃを、収納部１６ａの側壁１６ｂの内壁面に接着剤２３を用いて接着することにより固定される。光分波器１５を収納部１６ａの側壁１６ｂの側壁で固定することにより、図３（Ｃ）で説明したＸ軸に対して傾けたあおり角（θｘ）を調整することが容易となる。
例えば、図４（Ａ）は、収納部１６ａの底壁に平行な水平ラインＳに対して傾きのない状態、すなわち、収納部１６ａの底壁に光分波器１５に接するように水平に実装され、接着剤２３により接着固定された状態を示している。
【００２９】
これに対し、図４（Ｂ）および図４（Ｃ）は、収納部１６ａの底壁に平行な水平ラインＳに対して傾きを持たせた状態、すなわち、収納部１６ａの底壁が光分波器１５から浮いて、上記のあおり角（θｘ）を有する形で実装され、接着剤２３により接着固定された状態を示している。あおり角（θｘ）の調整は、収納部１６ａの両側壁の内壁面と光分波器の１５の両側面で接着剤２３を摺るだけであるので、接着剤による抵抗が小さく容易に行うことができる。
【００３０】
また、光分波器１５は、側壁１６ｂにより支持ポスト１６に対して水平方向の回動が拘束される。すなわち、図３（Ｃ）で説明したＺ軸に対する水平方向の傾きのである回転角の調整は、単独ではできず、支持ポスト１６と一体に回動されて調整（調心）される。
この場合、光分波器１５を把持して水平方向に回動させることにより、支持ポスト１６も一体に回動するので、光分光器１５を把持してあおり角を調整する祭に、回転角の調整も同時に行うことができる。
【００３１】
図５は、上述した光分波器１５と支持ポスト１６を、パッケージ筐体１４内に調心して実装する例を説明する図である。
支持ポスト１６には、磁性材により形成されたものを用い、図４で説明したように、上方の収納部の側壁１６ｂの内壁面に、予め紫外線硬化樹脂等の接着剤２３を塗布し、また、下端１６ｃにも同様に紫外線硬化樹脂等の接着剤２４を塗布しておく。なお、接着剤２３、２４は、塗布後も未硬化の状態としておく。
次いで、この支持ポスト１６をパッケージ筐体１４内に搬送し、パッケージ底壁１４ａの所定の設置位置に載置される。
【００３２】
パッケージ底壁１４ａの外面（下面）には、予め磁石２５が配されていて、パッケージ底壁１４ａ上に載置された支持ポスト１６は、磁石２５の吸引力によりパッケージ底壁１４ａ上に仮保持される。この磁石２５を用いることにより、支持ポスト１６に上方からの押圧力を加えることなく、支持ポスト１６はパッケージ底壁１４ａから浮き上がらずに均一に密接して保持される。
【００３３】
次いで、光分波器１５が吸引搬送具Ｔにより保持されて搬送され、図４に示したように支持ポスト１６の収納部１６ａ内に挿入載置される。光分波器１５が支持ポスト１６に載置された段階で、レセプタクル部１１から所定の波長の光を入射させ、受光素子で受光してモニタする。例えば、モニタ出力が最大になるように、図３で示すように光分波器１５のあおり角θｘが調心される。
【００３４】
光分波器１５のあおり角θｘの調心が終了したら、そのあおり角を維持して引き続き光分波器１５を支持ポスト１６と共にＺ軸に対して回動させ、そのモニタ出力が所定の値になるように回転角を調心する。
あおり角と回転角の調心が終えたら、その調心状態を維持（例えば、吸引搬送具Ｔで光分波器１５を保持したままで、接着剤２３，２４を硬化させ接着固定する。接着剤に紫外線硬化樹脂が用いられている場合は、紫外線を照射して硬化させる。また、接着剤に熱硬化性樹脂が用いられている場合は、加熱硬化させる。
接着剤が硬化し、光分波器１５および支持ポスト１６が接着固定されたら、吸引搬送具Ｔを外し、次の製品の製造に備える。また、磁石２５も取り除かれる。
【００３５】
図６は、多重化された信号光Ｓ１を上記の光分波器１５で分波して、その分波信号光Ｓ２を下方に反射させる反射器１７とその支持形態の例と、該分波信号光Ｓ２を集光して受光素子１９に受光させる集光レンズ１８とその支持形態の例を説明する図である。
反射器１７には、例えば、分波信号光Ｓ２が入射される入射面と、入射した分波信号光Ｓ２を反射させて光路を変更する反射面と、反射後の分波信号光Ｓ２を出射させる出射面を備えるプリズムが用いられる。集光レンズ１８には、例えば、反射器１８で反射された分波信号光Ｓ２をそれぞれの波長ごとに集光する複数のレンズからなり、これら複数のレンズをアレイ状に配列して一体化したものが用いられる。
【００３６】
図６において、２６は反射器１７のプリズムを支持するプリズムポストを示し、プリズムの下面の両端を支えるように接着等により取付けられる。また、２７は集光レンズ１８のレンズアレイを支持するレンズポストを示し、レンズアレイの下面の両端を支持するように接着等により取付けられる。集光レンズ１８の下側には、各レンズからの分波信号光がそれぞれ受光する複数の受光素子１９が配置され、光電流に変換される。
【００３７】
図６（Ａ）は、プリズムポスト２６を集光レンズ１８よりも反射器１７に近い側に配置した例である。図６（Ｂ）は、反対にプリズムポスト２６を集光レンズ１８よりも反射器１７から遠い側に配置した例である。図6（Ｃ）は、プリズムポスト２６をレンズポスト２７と同じ位置で、外側に配置するようにした例である。また、図６（Ｄ）は、プリズムポスト２６をレンズポスト２７の上に配置するようにした例である。
【符号の説明】
【００３８】
１０…光受信モジュール、１１…レセプタクル部、１２…パッケージ部、１３…端子部、１４…パッケージ筐体、１４ａ…パッケージ底壁、１４ｂ…パッケージ蓋体、１５…光分波器、１５ａ…薄膜ファイルタ、１５ｂ…反射膜、１５ｃ…両側部、１６…支持ポスト、１６ａ…収納部、１６ｂ…側部、１６ｃ…下面、１６ｄ…凹部、１７…反射器、１８…集光レンズ、１９…受光素子、２０ａ，２０ｂ…電子部品、２１，２２…光分波器、２３、２４…接着剤、２５磁石、２６…プリズムポスト、２７…レンズポスト。
【図１】
2014137475.tif 000003
【図２】
2014137475.tif 000004
【図３】
2014137475.tif 000005
【図４】
2014137475.tif 000006
【図５】
2014137475.tif 000007
【図６】
2014137475.tif 000008